(57)【要約】【課題】測距光（可視赤外線光）の入射角が小さい場合や、測量対象の表面が湿潤状態の場合であっても、十分に計測値を取得することができる測量システムを提供することを目的としている。【解決手段】測量対象２に測距光Ｌ１を照射してその反射光Ｌ２により測量対象２までの距離を測量するノンプリズム方式の光波測距儀４を備える測量システム１において、測量対象２に、測距光Ｌ１が照射される反射シート３が設置され、反射シート３の表面が、Ｌ＊ａ＊ｂ＊表色系における明度指数Ｌ＊が６５以上であり、且つ、２つのクロマティクネス指数ａ＊、ｂ＊の積が正数値である。【選択図】図１
2008268109.tif 000002
【特許請求の範囲】
【請求項１】
測量対象に測距光を照射してその反射光により前記測量対象までの距離を測量するノンプリズム方式の光波測距儀を備える測量システムにおいて、
前記測量対象に、前記測距光が照射される反射シートが設置され、
該反射シートの表面が、Ｌ＊ａ＊ｂ＊表色系における明度指数Ｌ＊が６５以上であり、且つ、２つのクロマティクネス指数ａ＊、ｂ＊の積が正数値であることを特徴とする測量システム。
【請求項２】
測量対象に測距光を照射してその反射光により前記測量対象までの距離を測量するノンプリズム方式の光波測距儀を備える測量システムにおいて、
前記測量対象に、前記測距光が照射される反射シートが設置され、
該反射シートの表面が、Ｌ＊ａ＊ｂ＊表色系における明度指数Ｌ＊が６５以上であり、且つ、２つのクロマティクネス指数ａ＊、ｂ＊の絶対値がともに５以下であることを特徴とする測量システム。  
【発明の詳細な説明】
【技術分野】
【０００１】
本発明は、ノンプリズム方式の光波測距儀を用いた測量システムに関する。
【背景技術】
【０００２】
また、従来のトータルステーションには、ターゲットプリズムを使用せずに測量対象までの距離を測定するノンプリズム測量機能を有するものがある。このノンプリズム測量は、測量対象に可視赤外線光を直接照射し、測量対象物に反射して返ってくる反射光を利用して測量対象までの距離を計測する。このノンプリズム測量によれば、測量対象にターゲットプリズムを設置する必要がない。したがって、例えば、杭工事の際に、杭体の上部にターゲットプリズムを設置し、離れた場所からトータルステーションでノンプリズム測定することで、杭芯位置や杭頭高さの管理を行うことができる（例えば、特許文献１参照。）。
【特許文献１】特開２００６−９０９４７号公報
【発明の開示】
【発明が解決しようとする課題】
【０００３】
しかしながら、上記した従来の技術では、測量対象に対する可視赤外線光の入射角が一定の角度よりも小さいと、反射光率が低下し、計測値取得率が大幅に低下するという問題が生じる。すなわち、一般のトータルステーションは、測量対象に対する可視赤外線光の入射角が９０度±３５度程度の範囲内の場合に適正に測量することができるが、入射角が５５度よりも小さくなると、測量対象に反射してトータルステーションまで返ってくる光が少なくなり、計測値を取得し難くなったり取得できなかったりする。
【０００４】
また、上記した従来の技術では、測量対象の表面が湿潤状態になっていると、反射光率が低下し、計測値取得率が大幅に低下するという問題が生じる。例えば、測量対象である鉄板に対して入射角７．０度で可視赤外線光を入射させて測量する場合において、その鉄板が降雨等の影響により表面が湿潤状態になっていると測量不能となる。
【０００５】
本発明は、上記した従来の問題が考慮されたものであり、測距光（可視赤外線光）の入射角が小さい場合や、測量対象の表面が湿潤状態の場合であっても、十分に計測値を取得することができる測量システムを提供することを目的としている。
【課題を解決するための手段】
【０００６】
本発明に係る測量システムは、測量対象に測距光を照射してその反射光により前記測量対象までの距離を測量するノンプリズム方式の光波測距儀を備える測量システムにおいて、前記測量対象に、前記測距光が照射される反射シートが設置され、該反射シートの表面が、Ｌ＊ａ＊ｂ＊表色系における明度指数Ｌ＊が６５以上であり、且つ、２つのクロマティクネス指数ａ＊、ｂ＊の積が正数値であることを特徴としている。
【０００７】
このような特徴により、光波測距儀から出た測距光は反射シートの表面に入射される。そして、反射シートで反射して返ってくる反射光を利用して光波測距儀で測量対象までの距離が計測される。このとき、反射シートの表面が、Ｌ＊ａ＊ｂ＊表色系における明度指数Ｌ＊が６５以上であり、且つ、２つのクロマティクネス指数ａ＊、ｂ＊の積が正数値であるため、入射される測距光が吸収され難くなり、反射光率が向上する。
【０００８】
また、本発明に係る測量システムは、前記反射シートの表面が、Ｌ＊ａ＊ｂ＊表色系における明度指数Ｌ＊が６５以上であり、且つ、２つのクロマティクネス指数ａ＊、ｂ＊の絶対値がともに５以下であってもよい。
【０００９】
これにより、上記した測量システムと同様に、入射される測距光が吸収され難くなり、反射光率が向上する。
【発明の効果】
【００１０】
本発明に係る測量システムによれば、反射光率が向上するため、測距光の入射角が小さい場合や、測量対象の表面が湿潤状態の場合であっても、十分に計測値を取得することができる。
【発明を実施するための最良の形態】
【００１１】
以下、本発明に係る測量システムの実施の形態について、図面に基いて説明する。
図１は本実施の形態における測量システム１の構成を表した模式図である。
【００１２】
図１に示すように、測量システム１は、例えば、杭工事における杭芯位置や杭頭高さの管理を行うために用いられるものである。測量システム１には、測量対象である杭体２の上部外周面に設けられた反射シート３と、杭体２から離れた場所にセットされたトータルステーション４（光波測距儀）とが備えられている。
【００１３】
トータルステーション４は、杭体２に設けられた反射シート３に可視赤外線光Ｌ１を照射し、反射シート３で反射して返ってきた反射光Ｌ２を利用して杭体２の上部までの距離を測定する機械であり、ノンプリズム測量が可能な光波測距儀である。このトータルステーション４としては、公知のトータルステーションを用いることが可能である。
【００１４】
反射シート３は、トータルステーション４からの可視赤外線光Ｌ１が照射されるシートである。反射シート３の表面は、Ｌ＊ａ＊ｂ＊表色系における明度指数Ｌ＊が６５以上であり、且つ、２つのクロマティクネス指数ａ＊、ｂ＊の積が正数値である。さらに、明度指数Ｌ＊が６５〜７５の範囲内であることが好ましい。また、反射シート３としては、マグネットの磁力により杭体２の上部の外周面に貼着される色紙マグネットシートや、粘着材の粘着力により杭体２の上部の外周面に貼着される粘着テープを用いることが好ましい。例えば、反射シート３が、表面が橙色のマグネットシートである場合、明度指数Ｌ＊が７５程度になり、且つ、クロマティクネス指数ａ＊、ｂ＊が共に正数値（ａ＊＝２５程度、ｂ＊＝４４程度）となる。また、反射シート３が、表面が青色（水色系）のマグネットシートである場合、明度指数Ｌ＊が６７程度になり、且つ、クロマティクネス指数ａ＊、ｂ＊が共に負数値（ａ＊＝−１２程度、ｂ＊＝−１８程度）となる。なお、例示した反射シート３の他に、表面が白色のマグネットシートやポリエチレン製網や、ステンレス鋼製網などを反射シート３として用いることも可能である。
【００１５】
次に、上記した構成からなる測量システム１による測量方法について説明する。
【００１６】
まず、測量対象の杭体２に反射シート３を取り付ける。具体的に説明すると、打設前の杭体２の上部外周面に反射シート３を貼り付ける。
また、トータルステーション４を所定の位置にセットする。具体的に説明すると、杭体２の打設位置から離れた位置に三脚５を立て、この三脚５の上にトータルステーション４を固定してトータルステーション４をセットする。なお、トータルステーション４のセット手順は公知のトータルステーションのセット手順と同様の手順で行うことが可能である。
【００１７】
次に、杭体２を打設する際、トータルステーション４により杭体２上部までの距離を測定する。詳しく説明すると、トータルステーション４で杭体２上部の反射シート３を視準する。そして、トータルステーション４から出た可視赤外線光Ｌ１を反射シート３の表面に入射され、反射シート３で反射して返ってきた反射光Ｌ２に基づきトータルステーション４から杭体２の上部表面（反射シート３）までの距離を計測する。例えば、可視赤外線光Ｌ１が反射シート３に反射して返ってくるまでの時間により杭体２の上部表面（反射シート３）までの距離を算出することができる。このように杭体２の上部表面までの距離を計測することにより、杭体２の杭芯位置や杭頭高さを管理する。
【００１８】
上記した構成からなる測量システム１によれば、反射シート３の表面が、Ｌ＊ａ＊ｂ＊表色系における明度指数Ｌ＊が６５以上であり、且つ、２つのクロマティクネス指数ａ＊、ｂ＊の積が正数値であるため、反射シート３の表面に入射される可視赤外線光Ｌ１が吸収され難くなり、反射光率が向上する。これにより、可視赤外線光Ｌ１の入射角θが小さい場合や、杭体２の表面が湿潤状態の場合であっても、トータルステーション４によって十分に計測値を取得することができる。
【００１９】
なお、反射シート３の表面が、Ｌ＊ａ＊ｂ＊表色系における明度指数Ｌ＊が６５以上であり、且つ、２つのクロマティクネス指数ａ＊、ｂ＊の絶対値がともに５以下であってもよい。例えば、反射シート３が、表面が白色の艶無し布粘着テープである場合、明度指数Ｌ＊が９１程度になり、且つ、クロマティクネス指数ａ＊、ｂ＊が共に−５〜５の範囲内（ａ＊＝−０．７程度、ｂ＊＝２．０程度）となる。これにより、反射シート３の表面に入射される可視赤外線光Ｌ１が吸収され難くなって反射光率が向上し、可視赤外線光Ｌ１の入射角が小さい場合や、杭体２の表面が湿潤状態の場合であっても、トータルステーション４によって十分に計測値を取得することができる。
【００２０】
ここで、種々の反射シートを用いてノンプリズム測量を行った実験について説明する。
この実験は、反射シートとして様々な種類のサンプルシートを測定対象に貼り付け、この反射シートに対して微小な入射角で可視赤外線光を照射してノンプリズム測量を行い、計測値取得の可否を判定したものである。
【００２１】
図２はノンプリズム測量の実験結果を表した表であり、図３は実験に用いたサンプルシートの色を分光測色計で計測した色計測結果を表した表であり、図４（ａ）は色計測結果の明度指数Ｌ＊とクロマティクネス指数ａ＊との関係図であり、図４（ｂ）は色計測結果の２つのクロマティクネス指数ａ＊、ｂ＊の関係図である。
図２に示すように、橙色のマグネットシート（サンプル２）、青色のマグネットシート（サンプル４）、白色の艶無し布粘着テープ（サンプル６）を反射シートとして用いた場合、表面が乾燥状態及び湿潤状態のいずれの状態であっても、反射光率が高くなる。
【００２２】
また、図３、図４（ａ）、図４（ｂ）に示すように、橙色のマグネットシート（サンプル２）は、Ｌ＊ａ＊ｂ＊表色系における明度指数Ｌ＊が６５以上であり、且つ、２つのクロマティクネス指数ａ＊、ｂ＊が共に正数値になっている。また、青色のマグネットシート（サンプル４）は、Ｌ＊ａ＊ｂ＊表色系における明度指数Ｌ＊が６５以上であり、且つ、２つのクロマティクネス指数ａ＊、ｂ＊が共に負数値になっている。さらに、白色の艶無し布粘着テープ（サンプル６）は、Ｌ＊ａ＊ｂ＊表色系における明度指数Ｌ＊が６５以上であり、且つ、２つのクロマティクネス指数ａ＊、ｂ＊の絶対値が共に５以下になっている。
【００２３】
以上の実験結果からも、反射シートの表面が、Ｌ＊ａ＊ｂ＊表色系における明度指数Ｌ＊が６５以上であり、且つ、２つのクロマティクネス指数ａ＊、ｂ＊の積が正数値、或いは、２つのクロマティクネス指数ａ＊、ｂ＊の絶対値が共に５以下である場合、反射光率が向上することは明らかである。
【００２４】
以上、本発明に係る測量システムの実施の形態について説明したが、本発明は上記した実施の形態に限定されるものではなく、その趣旨を逸脱しない範囲で適宜変更可能である。例えば、上記した実施の形態では、杭体２を測量対象として測量する場合を例にして説明しているが、本発明では、測量対象は適宜変更可能であり、本発明に係る測量システムによって杭体２以外の測量対象を測量することも可能である。
【００２５】
上記した実施の形態では、視準方向を示すとともに距離を計測するための可視赤外線光Ｌ１を反射シート３に照射するトータルステーション４を用いているが、本発明は、距離を計測するための測距光と視準方向を示す可視光とを別々に反射シート３に照射する光波測距儀を用いてもよい。
【００２６】
また、本発明の光波測距儀に測定対象を自動的に追尾して測量する自動追尾手段が備えられていることが好ましい。例えば、自動追尾測量が可能なトータルステーションを用いることが好ましい。これにより、測量対象からオフセットした位置のプリズムを自動追尾させ、オフセットした距離の反射シートをノンプリズム測量することにより、自動追尾測量が可能になる。
【００２７】
その他、本発明の主旨を逸脱しない範囲で、上記した実施の形態における構成要素を周知の構成要素に置き換えることは適宜可能であり、また、上記した変形例を適宜組み合わせてもよい。
【図面の簡単な説明】
【００２８】
【図１】本発明の実施の形態を説明するための測量システムの構成を表した模式図である。
【図２】本発明の実施の形態を説明するための実験結果を表した表である。
【図３】本発明の実施の形態を説明するための実験に用いたサンプルシートの色計測結果を表した表である。
【図４】（ａ）は色計測結果の明度指数Ｌ＊とクロマティクネス指数ａ＊との関係図であり、（ｂ）は色計測結果の２つのクロマティクネス指数ａ＊、ｂ＊の関係図である。
【符号の説明】
【００２９】
１  測量システム
２  杭体（測量対象）
３  反射シート
４  トータルステーション（光波測距儀）
Ｌ１  可視赤外線光（測距光）
Ｌ２  反射光
【図１】
2008268109.tif 000003
【図２】
2008268109.tif 000004
【図３】
2008268109.tif 000005
【図４】
2008268109.tif 000006